(57)【要約】【課題】エレベータの内部信号の状態を容易に確認することができるエレベータ保守作業用の携帯端末装置を提供することを目的とする。【解決手段】本発明の実施形態に係る携帯端末装置は、エレベータ保守作業用の携帯端末装置であって、情報取得手段と、検索手段と、記憶手段と、表示手段と、を備える。情報取得手段は、エレベータ制御盤からエレベータの内部信号の信号名及び信号状態を含む内部信号情報を取得する。検索手段は、情報取得手段が取得した内部信号情報のうち、所望のキーワードを含む内部信号情報を検索する。記憶手段は、情報取得手段が取得した内部信号情報と内部信号を説明する説明情報とを記憶する。表示手段は、情報取得手段が取得した内部信号情報と、検索手段により検索された内部信号情報と、記憶手段に記憶された説明情報と、の少なくとも１つを表示する。【選択図】図２
2015048212.tif 000002
【特許請求の範囲】
【請求項１】
エレベータ保守作業用の携帯端末装置であって、
エレベータ制御盤からエレベータの内部信号の信号名及び信号状態を含む内部信号情報を取得する情報取得手段と、
前記情報取得手段が取得した内部信号情報のうち、所望のキーワードを含む内部信号情報を検索する検索手段と、
前記情報取得手段が取得した内部信号情報と前記内部信号を説明する説明情報とが記憶された記憶手段と、
前記情報取得手段が取得した内部信号情報と、前記検索手段により検索された内部信号情報と、前記記憶手段に記憶された前記説明情報と、の少なくとも１つを表示する表示手段と、
を備えた携帯端末装置。
【発明の詳細な説明】
【技術分野】
【０００１】
本発明の実施形態は、エレベータ保守作業用の携帯端末装置に関する。
【背景技術】
【０００２】
従来、エレベータの保守作業の際には、保守員が故障したエレベータの内部信号の状態を確認し、故障原因や故障個所を調査している。
【先行技術文献】
【特許文献】
【０００３】
【特許文献１】特開２００９−１６１３１０号公報
【特許文献２】特開２０１１−１３６８３６号公報
【発明の概要】
【発明が解決しようとする課題】
【０００４】
内部信号の状態を確認する方法は、内部信号の種類によって異なるため、保守員は確認したい内部信号ごとに、紙の資料で信号状態の確認方法を調べていた。そして、調べた結果に基づき、保守員は、基板に設置されたボタンの操作や、エレベータ通信装置から内部信号のアドレス（メモリ上の内部信号データの位置情報）の入力などを行っていた。このため、エレベータの内部信号の状態確認は、時間のかかる困難な作業であった。
【０００５】
そこで、本発明の実施形態は、エレベータの内部信号の状態を容易に確認することができるエレベータ保守作業用の携帯端末装置を提供することを目的とする。
【課題を解決するための手段】
【０００６】
本発明の実施形態に係る携帯端末装置は、エレベータ保守作業用の携帯端末装置であって、情報取得手段と、検索手段と、記憶手段と、表示手段と、を備える。情報取得手段は、エレベータ制御盤からエレベータの内部信号の信号名及び信号状態を含む内部信号情報を取得する。検索手段は、情報取得手段が取得した内部信号情報のうち、所望のキーワードを含む内部信号情報を検索する。記憶手段は、情報取得手段が取得した内部信号情報と内部信号を説明する説明情報とを記憶する。表示手段は、情報取得手段が取得した内部信号情報と、検索手段により検索された内部信号情報と、記憶手段に記憶された説明情報と、の少なくとも１つを表示する。
【図面の簡単な説明】
【０００７】
【図１】図１は、保守作業が行われるエレベータの概略構成図である。
【図２】図２は、本発明の実施形態に係る携帯端末装置と、図１のエレベータの制御盤とを示すブロック図である。
【図３】図３は、携帯端末装置によりエレベータの内部信号の状態を確認する手順を示すフローチャートである。
【図４】図４は、携帯端末装置の信号状態確認メニューの表示画面の一例である。
【図５】図５は、携帯端末装置の信号検索メニューの表示画面の一例である。
【発明を実施するための形態】
【０００８】
以下、本発明の実施形態について、図１〜図５を参照して説明する。
【０００９】
図１は、本発明の実施形態に係る携帯端末装置を使用して保守作業が行われるエレベータの概略構成図である。図１に示すように、このエレベータのカゴ２は、メインロープ３によって吊り合い重り４と連結されている。メインロープ３は、巻上機１のシーブに巻き掛けられている。巻上機１には、モータ線７を介してエレベータ制御盤６が接続されている。エレベータ制御盤６による起動指令によって、モータ線７から巻上機１に電力が供給されて巻上機１のシーブが回転し、メインロープ３が巻き上げられてカゴ２が昇降するようになっている。
【００１０】
カゴ２とエレベータ制御盤６とは、テールコード（配線）５によって接続されている。このテールコード５は、カゴ２内に設けられた行き先階登録ボタンで登録されたカゴ呼び等の信号を伝送する。乗り場に設けられた乗り場呼び登録ボタンで登録された乗り場呼びなどの信号は、図示しない配線によってエレベータ制御盤６に伝送される。エレベータ制御盤６は、カゴ呼びや乗り場呼びに応じて、カゴ２を目的階に着床させる。
【００１１】
このエレベータには上記のように構成されたカゴ２が１台又は複数台（複数号機）設けられている。カゴ２が複数台設けられる場合には、複数のカゴ２の運転はエレベータ制御盤６によって群管理制御される。
【００１２】
図２は、本発明の実施形態に係る携帯端末装置１１と、図１のエレベータのエレベータ制御盤６とを示すブロック図である。エレベータ制御盤６は、マイコン制御部８と、信号通信部９と、信号入力部１０とを備えている。マイコン制御部８は、エレベータのカゴ２の運転を制御する制御手段である。信号入力部１０は、カゴ呼び登録ボタンで登録されたカゴ呼びや、乗り場呼び登録ボタンで登録された乗り場呼び等の信号を受信し、信号通信部９を介してマイコン制御部８に送信するようになっている。信号通信部９には、無線又は有線で携帯端末装置１１が接続可能になっている。
【００１３】
携帯端末装置１１は、故障したエレベータの保守作業で使用される保守作業用の携帯端末装置である。携帯端末装置１１は、エレベータ制御盤６からエレベータの内部信号の信号名及び信号状態を含む内部信号情報を取得する情報取得手段１２と、所望のキーワードを含む内部信号情報を検索する検索手段１３と、情報取得手段が取得した内部信号情報を表示する表示手段１４と、情報取得手段１２が取得した内部信号情報を記憶する記憶手段１５と、を備える。
【００１４】
情報取得手段１２は、エレベータ制御盤６の信号通信部９と無線又は有線（例えば、電話回線）で接続され、エレベータ制御盤６からエレベータの内部信号情報を取得する。情報取得手段１２がエレベータ制御盤６から取得する内部信号情報には、少なくともエレベータの内部信号の信号名及び内部信号の信号状態が含まれる。また、情報取得手段１２は、内部信号情報とともに、エラーコードや故障したカゴ２を特定する情報など、エレベータ制御盤６から取得可能な任意の情報を取得可能になっていてもよい。
【００１５】
検索手段１３は、情報取得手段１２がエレベータ制御盤６から取得したエレベータの内部信号情報のうち、所望のキーワードを含む内部信号情報を検索する。検索手段１３は、表示手段１４に検索窓を表示させ、検索窓に入力されたキーワードに基づいて内部信号情報を検索する。例えば、検索手段１３は、所望のキーワードを含む信号名を有するエレベータの内部信号を検索するように構成することができる。
【００１６】
表示手段１４には、情報取得手段１２が取得した内部信号情報が表示される。また、表示手段１４には、検索手段１３により検索された内部信号情報、すなわち検索結果も表示される。保守員は表示手段１４に表示された内部信号情報を参照して、エレベータの保守作業を行う。
【００１７】
記憶手段１５には、情報取得手段１２が取得した内部信号情報が記憶される。また、携帯端末装置１１を制御するための制御プログラム（アプリケーション）１６が記憶されている。制御プログラム１６は、上記情報取得手段１２および表示手段１４などの各手段を動作させて所定の処理を行うためのものである。制御プログラム１６の操作は、各種の入力手段、例えば、キーボード、タッチパネル、音声入力用のマイク、押しボタンなどを使用して行うようにしてもよい。
【００１８】
情報取得手段１２がエレベータ制御盤６からエレベータの内部信号情報を取得すると、取得された内部信号情報は記憶手段１５に記憶される。記憶手段１５は、携帯端末装置１１の一次記憶装置や二次記憶装置としての役割を果たし、不揮発性メモリ（例えばＲＯＭ）や揮発性メモリ（ＲＡＭ）を含んで構成される。
【００１９】
また、記憶手段１５には、エレベータの内部信号を説明する説明情報が記憶されている。この説明情報とは、内部信号の内容を説明する情報であり、保守員が内部信号の信号名やその信号状態から、エレベータの状態を理解するための簡易なマニュアルのような役割を果たすものである。保守員は、説明情報を参照することにより、その内部信号が何の信号であるのかということや、どのような状態で変化する信号であるのかということを知ることができる。
【００２０】
次に、上記の携帯端末装置１１の作用について、図３を参照して説明する。ここで、図３は、携帯端末装置によりエレベータの内部信号の状態を確認する手順を示すフローチャートである。
【００２１】
エレベータの保守作業の際、エレベータの内部信号の状態を確認するために、保守員はまず携帯端末装置１１の電源を入れる（ステップＳ１（以下、単に「Ｓ１」という））。次に、携帯端末装置１１の制御プログラム１６を起動させる（Ｓ２）。制御プログラム１６は、携帯端末装置１１の電源を入れると自動的に起動するようになっていてもよい。また、携帯端末装置１１に複数種のプログラムがインストールされている場合には、携帯端末装置１１の起動画面から、制御プログラム１６を選択して起動させてもよい。
【００２２】
制御プログラム１６が起動すると、携帯端末装置１１はエレベータ制御盤６と接続する（Ｓ３）。携帯端末装置１１とエレベータ制御盤６とは、保守員が携帯端末装置１１を操作することにより接続されてもよいし、制御プログラム１６を起動すると自動的に接続されるように構成されてもよい。これにより、携帯端末装置１１は、エレベータ制御盤６と通信可能な状態となる。
【００２３】
携帯端末装置１１がエレベータ制御盤６と接続されると、情報取得手段１２は、エレベータの内部信号情報を取得する（Ｓ４）。内部信号情報の取得は、エレベータ制御盤６と接続することにより自動的に行われてもよいし、保守員が携帯端末装置１１を操作することにより行われてもよい。情報取得手段１２が取得した内部信号情報は、記憶手段１５に記憶される。このように、内部信号情報を予め記憶手段１５に記憶させておくことにより、携帯端末装置１１とエレベータ制御盤６との接続を解除し、保守員がエレベータ制御盤６から離れた場所に移動しても、保守員は内部信号情報を確認することができる。なお、携帯端末装置１１をエレベータ制御盤６に再度接続することにより、記憶手段１５に記憶した内部信号情報を更新可能にしてもよい。
【００２４】
エレベータの内部信号情報を取得した後、保守員は表示手段１４に表示された複数のメニューの中から所望のメニューを選択する。このメニューには、例えば、内部信号情報を確認する「信号状態確認メニュー」や内部信号の信号名を検索する「信号検索メニュー」などが含まれる。保守員は、確認したい内部信号の信号名をわかっている場合（Ｓ５の「ｙｅｓ」）、「信号状態確認メニュー」を選択する（Ｓ６）。
【００２５】
ここで、図４は、携帯端末装置１１の信号状態確認メニューの表示画面の一例である。保守員が「信号状態確認メニュー」を選択すると、図４（ａ）に示すように、情報取得手段１２が取得したエレベータの内部信号情報に含まれる内部信号の一覧（信号一覧）が表示される（Ｓ７）。
【００２６】
保守員は、信号状態を確認したいエレベータの内部信号の信号名（ＤＣ：戸閉信号）を信号一覧の中から選択する（Ｓ８）。そして、状態確認ボタンを選択し（Ｓ９）、当該信号の状態を表示させる（Ｓ１０）。この際、制御プログラム１６は、当該信号の状態とともに、当該信号に対応する説明情報も表示させる。これにより、図４（ｂ）に示すように、表示手段１４には、信号名（ＤＣ）、当該信号の状態（Ｈ）、及び当該信号の説明情報が表示される。保守員は、エレベータの戸閉信号（ＤＣ）の状態がＨであること、さらには戸閉信号（ＤＣ）が「戸が閉まったことを確認する信号」であり、信号状態Ｈは「戸閉時」を意味することを確認することができる。
【００２７】
これに対して、保守員は、確認したいエレベータの内部信号の信号名をわかっていない場合（Ｓ５の「ｎｏ」）、「信号検索メニュー」を選択する（Ｓ１１）。
【００２８】
ここで、図５は、携帯端末装置１１の信号検索メニューの表示画面の一例である。保守員が「信号検索メニュー」を選択すると、検索手段１３によって、図５（ａ）に示すように、表示手段１４に検索窓（検索キーワード欄）が表示される（Ｓ１２）。保守員は、この検索窓に任意のキーワード（例えば「戸」）を入力し（Ｓ１３）、信号名を検索することができる。信号検索メニューでは、and検索、or検索、not検索などの検索式を用いた検索を行うことができる。保守員が検索を行うと、検索結果の一覧（信号一覧）として、検索された内部信号の信号名が表示手段１４に表示される（Ｓ１４）。
【００２９】
保守員は、信号状態を確認したい内部信号の信号名（ＤＣ：戸閉信号）を信号一覧の中から選択する（Ｓ１５）。そして、状態確認ボタンを選択し（Ｓ１６）、当該信号の状態を表示させる（Ｓ１７）。この際、制御プログラム１６は、当該信号の状態とともに、当該信号に対応する説明情報も表示させる。これにより、図５（ｂ）に示すように、表示手段１４には、信号名（ＤＣ）、当該信号の状態（Ｈ）、及び当該信号の説明情報が表示される。保守員は、エレベータの戸閉信号（ＤＣ）の状態がＨであること、さらには戸閉信号（ＤＣ）が「戸が閉まったことを確認する信号」であり、信号状態Ｈは「戸閉時」を意味することを確認することができる。
【００３０】
以上説明したとおり、本発明の実施形態に係る携帯端末装置は、エレベータ制御盤６からエレベータの内部信号の信号名及び信号状態を含む内部信号情報を取得する情報取得手段１２と、情報取得手段１２が取得した内部信号情報を表示する表示手段１４と、を備える。
【００３１】
このような構成により、保守員はエレベータの内部信号の状態を容易に確認することができる。したがって、エレベータの故障原因や故障個所の調査時間を短縮し、保守作業を速やかに開始することができる。
【００３２】
また、情報取得手段１２が取得したエレベータの内部信号情報のうち、所望のキーワードを含む内部信号情報を検索する検索手段１３を更に備え、表示手段１４は、検索手段１３により検索された内部信号情報を含む内部信号情報を表示する。これにより、内部信号情報の信号名などが不明な場合であっても、検索手段１３により検索し、所望の内部信号情報を容易に探し出すことができる。
【００３３】
また、情報取得手段１２が取得した内部信号情報を記憶する記憶手段１５を更に備え、記憶手段１５には、エレベータの内部信号を説明する説明情報が記憶され、表示手段１４は説明情報を表示する。これにより、信号状態が示すエレベータの状態がわからない場合であっても、エレベータの状態を容易に確認することができる。また、信号名、信号状態の確認方法、及び信号状態の示すエレベータの状態などを調べるための紙の資料が不要になり、保守作業に必要な荷物を減らすことができる。
【００３４】
尚、本発明は上記各実施形態そのままに限定されるものではなく、実施段階ではその要旨を逸脱しない範囲で構成要素を変形して具体化できる。また上記各実施形態に開示されている複数の構成要素を適宜組み合わせることによって種々の形態を形成できる。また例えば、各実施形態に示される全構成要素からいくつかの構成要素を削除した構成も考えられる。さらに、異なる実施形態に記載した構成要素を適宜組み合わせてもよい。
【符号の説明】
【００３５】
１：巻上機，２：カゴ，３：メインロープ，４：吊り合い重り，５：テールコード（配線），６：エレベータ制御盤，７：モータ線，８：マイコン制御部，９：信号通信部，１０：信号入力部，１１：携帯端末装置，１２：情報取得手段，１３：検索手段，１４：表示手段，１５：記憶手段，１６：制御プログラム
【図１】
2015048212.tif 000003
【図２】
2015048212.tif 000004
【図３】
2015048212.tif 000005
【図４】
2015048212.tif 000006
【図５】
2015048212.tif 000007